(57)【要約】 【課題】  所定の条件を満たさない場合には、ハンドルを施錠位置まで回転することができない反面、所定の条件を充足すれば、ハンドルをスムースに施錠位置まで回すことができること。【解決手段】内障子と外障子とが正常閉鎖位置である時、ハンドルを所定位置まで回転することができるハンドル回動阻止機構を備えた窓用クレセント錠に於いて、前記ハンドル回動阻止機構は、ハンドルのスプーン側に添設されたストッパ部材を備え、該ストッパ部材は、スプーンの内壁面と摺接可能な位置決め対偶片と、該位置決め対偶片に軸支されかつ付勢バネのバネ力によりスプーンの係合透孔から常時突出する係合片とから成り、該係合片は、位置決め対偶片が外障子側の受け金具に衝突した時点を基準として回転中のスプーンにより、その内壁面側に掬われること。【選択図】  図１４
2006316498.tif 000002
【特許請求の範囲】
【請求項１】
内障子と外障子とが正常閉鎖位置である時、ハンドルを所定位置まで回転することができるハンドル回動阻止機構を備えた窓用クレセント錠に於いて、前記ハンドル回動阻止機構は、ハンドルのスプーン側に添設されたストッパ部材を備え、該ストッパ部材は、スプーンの内壁面と摺接可能な位置決め対偶片と、該位置決め対偶片に軸支されかつ付勢バネのバネ力によりスプーンの係合透孔から常時突出する係合片とから成り、該係合片は、位置決め対偶片が外障子側の受け金具に衝突した時点を基準として回転中のスプーンにより、その内壁面側に掬われることを特徴とする窓用クレセント錠。
【請求項２】
請求項１に於いて、スプーンはケース本体内の空間部分に設けられ、ハンドルの操作に基づき、ケース本体の側壁から出没することを特徴とする窓用クレセント錠。
【請求項３】
請求項１に於いて、スプーンの周壁部分に対向する位置決め対偶片の壁面は、前記周壁部分の形状に対応して弧状に形成されていることを特徴とする窓用クレセント錠。
【請求項４】
請求項１乃至請求項３のいずれかに於いて、係合片は、ケース本体内の受け止め片或いは受け止め部分に当接可能であることを特徴とする窓用クレセント錠。
【請求項５】
請求項１に於いて、位置決め対偶片には、ケース本体の被係合部と係合する係合部が形成されていることを特徴とする窓用クレセント錠。
【請求項６】
請求項１に於いて、ハンドルをハンドル施錠位置へと回し、受け金具にスプーンが係合すると、前記スプーンは回転ロック機構を構成する摘み操作片のストッパ部によって自動的にロック状態にされることを特徴とする窓用クレセント錠。
【請求項７】
請求項６に於いて、ハンドルの操作は、ダイヤル部材を指でダイヤル施錠位置へと任意に回した後に実行されていることを特徴とする窓用クレセント錠。
【発明の詳細な説明】
【技術分野】
【０００１】
本発明は家屋やビルなどの窓に盗難防止用の施錠装置として取付けられる窓用クレセント錠に関する。
【背景技術】
【０００２】
特許文献１には、「ケース本体に回動可能に装着され、かつ、ハンドルを回転すると受け金具に係合するスプーンを有するハンドルと、このハンドルを内障子と外障子とが正常閉鎖位置にあるときのみ該ハンドルの施錠方向への回転を許容するストッパ部材をスプーンのベース板部分側に備えたハンドル回動阻止機構とから成る窓用クレセント錠」が開示されている。
【０００３】
前記ストッパ部材は、スプーンのベース板部分に支軸を介して回動可能に設けられた「くの字状」の揺動片、又は「船形状」の摺動体であるが、該揺動片（摺動体）は、内障子と外障子とが正常閉鎖位置にある時は、固定側の受け金具に衝突するように直接当たり、該当接時の反力で摺動体の一端部或いは摺動体の爪部と固定側の受台係止部との係止状態が解消される構造であるから、揺動片（摺動体）は受け金具から強い衝撃力を受けた場合に於いて、特に「くの字状」の揺動片は変形する可能性があった。また、揺動片（摺動体）をスプーンの壁部に直接軸支しなければならないので、スプーンに簡単に装着することができないという問題点があった。
【０００４】
さらに、ハンドルの基端部に大きな収納凹所や切欠部形成し、該収納凹所等に揺動片（摺動体）を組み込む必要があったので、ハンドルの基端部を普通一般のハンドルの形態の如く、シンプルな形状にすることができないという問題点があった。さらに、スプーンをケース本体（台座）の外に配設することから、ハンドルの基端部に組み込んだ揺動片（摺動体）が外部から見え（露出）、意匠の美観上の問題点のみならず、技術的にも不正な攻撃に対して十分に対処していないという問題点があった。
【特許文献１】特開平９−１５８５８４
【発明の開示】
【発明が解決しようとする課題】
【０００５】
本発明の第１の目的は、所定の条件を満たさない場合（受け金具が存在しない時）には、ハンドルを施錠位置まで回転することができない反面、所定の条件を充足すれば、ハンドルをスムースに施錠位置まで回すことができることである。第２の目的は、所定の条件を充足する場合に於いて、ストッパ部材の位置決め対偶片は所定の場所にて自動的に位置決めされると共に、ストッパ部材が受け金具から強い衝撃力を受けた場合であっても、容易に変形しないことである。第３の目的は、ストッパ部材をスプーンに簡単に装着することができることである。第４の目的は、ハンドルの基端部に大きな収納凹所や切欠部形成する必要がないことである。第５の目的は、外部からドライバー等の工具を用いた不正侵入や悪戯に対して十分に対処し得ることである。
【課題を解決するための手段】
【０００６】
本発明の窓用クレセント錠は、内障子と外障子とが正常閉鎖位置である時、ハンドルを所定位置まで回転することができるハンドル回動阻止機構を備えた窓用クレセント錠に於いて、前記ハンドル回動阻止機構は、ハンドルのスプーン側に添設されたストッパ部材を備え、該ストッパ部材は、スプーンの内壁面と摺接可能な位置決め対偶片と、該位置決め対偶片に軸支されかつ付勢バネのバネ力によりスプーンの係合透孔から常時突出する係合片とから成り、該係合片は、位置決め対偶片が外障子側の受け金具に衝突した時点を基準として回転中のスプーンにより、その内壁面側に掬われることを特徴とする。
【０００７】
上記構成に於いて、スプーンはケース本体内の空間部分に設けられ、ハンドルの操作に基づき、ケース本体の側壁から出没することを特徴とする。その他の特徴は、従属項に記載されている。
【発明の効果】
【０００８】
（１）ストッパ部材の位置決め対偶片は、外障子側の受け金具に衝突した時に自動的に位置決めされるので、ストッパ部材の係合片は、回転中のスプーンにより、確実にその内壁面側に掬われる。
（２）スプーンに添設状態に設けた位置決め対偶片が受け金具に衝突するから、仮に位置決め対偶片が受け金具から強い衝撃力を受けた場合であっても、係合片は間接的に保護される。したがって、固定側部材と係脱可能な係合片は容易に変形しない。
（３）ストッパ部材をスプーンに簡単に装着することができる。つまり、部材の組み合わせの際、ストッパ部材をスプーンに単に乗っけるだけで良い。
（４）また、特許文献１の如く、ハンドルの基端部に大きな収納凹所や切欠部形成する必要がない。
（５）請求項２に記載の発明は、主要部材が露出しないので、外部からドライバー等の工具を用いた不正侵入や悪戯に対して十分に対処し得る。
【発明を実施するための最良の形態】
【０００９】
図１乃至図１７は、本発明の一実施例を示す各説明図である。
【００１０】
（１）実施の環境
図１乃至図３は、本発明の実施の環境を示す各概略説明図である。窓用クレセント錠Ｘは、普通一般に建具のサッシ型障子に取り付けられている。図１を基準にすると、１は外障子（通称、戸）、２は外障子の外側サッシ（通称、縦框）、３は内障子、４は内障子の内側サッシである。本発明のクレセント錠Ｘは、内障子３の内側サッシ４に図示しない固着手段を介して固定的に取り付けられる。
【００１１】
本発明のクレセント錠Ｘは、施錠時に於けるハンドル用回転ロック機構１０や摘み操作片用ロック手段１３と共に、障子の不完全閉鎖時におけるハンドル回動阻止機構Ｙを備えている。後者のハンドル回動阻止機構Ｙ（特に、スプーン７に添設されたストッパ部材５０の構成）が本発明の主要部である。新規なハンドル回動阻止機構Ｙを備えたクレセント錠Ｘは、例えばケース本体の内部空間に合理的に組み込んでいることから、外部からの不正な攻撃に対する防御的効果がある（また、意匠上も見苦しくない）。
【００１２】
ここで、従来のクレセント錠Ｘとの境界線（外延）に関して、構成上の公知事項を述べると、（ａ）スプーンを有するハンドルは、ケース本体に回動可能に装着され、かつ、ハンドルを回転すると受け金具に係合する点、（ｂ）ハンドルは、内障子と外障子とが正常閉鎖位置にあるときのみ該ハンドルの施錠方向への回転を許容するストッパ部材を備えている点などである。
【００１３】
（２）ケース本体
まず、図１乃至図５を参照にしてケース本体５（台座）の構成を説明する。ケース本体５は、一側面開口の長箱状に形成され、図２及び図３で示すように内側サッシ４の側壁４ａの中央部（中央部寄りの部位も含む）に固着具を介して縦方向に固定される。
【００１４】
図２は室内側から外方向に見た場合の正面図、図３は図２を基準にした場合の左側面からの説明図、図４は主要箇所を縦断面で示したケース本体の概略断面説明図（主要部を省略）、図５はケース本体５を裏側から見た施錠時の説明図である。
【００１５】
特に図５は、本発明の独立項（メインクレーム）と従属項（サブクレーム）の特徴事項を示している。図５は、ダイヤル部材２２を指でダイヤル施錠位置（番号不一致の位置）へと任意に回した後に、ハンドル８をハンドル施錠位置（図では上方）へと回し、その結果、図３で示すように外側サッシ２の受け金具６の鉤状受け部分６ａにスプーン７が係合すると同時に、ハンドル８のスプーン７が回転ロック機構１０を構成する摘み操作片１２のストッパ部１２ａによって自動的にロック状態にされたことを示す。
【００１６】
まず、独立項に関し、完全施錠時、換言すれば、外内の障子１，３の完全閉鎖時、本発明の回動阻止機構を構成するストッパ部材５０の位置決め対偶片５１は、受け金具６の前記鉤状受け部分６ａにより位置決めされた状態で停止し、スプーン７のみが停止状態の位置決め対偶片５１をそのまま置き去りにして施錠方向へ回転する。
【００１７】
また係合片５４は、スプーン７の回転により、固定側のケース本体５内の受け止め片１９と当たらないようにスプーン７の内壁面側に引っ込められる。本実施例では、内障子と外障子とが正常閉鎖位置にあるとき、スプーン７が係合位置へと回転すると、ストッパ部材５０の係合片５４は、スプーン７の係合透孔４４の縁部に掬われて該スプーン７の内壁面側４１ｂに引っ込む。
【００１８】
次に、従属項に関し、ハンドル施錠時の場合、図７で示すように、本実施例では摘み操作片１２が付勢手段１１のバネ力により所定量下がると、そのストッパ部１２ａが、スプーン７の上部端面４１ａに対向状態になる。これにより、ハンドル８を矢印Ａ方向（反時計方向）へ戻す（回す）ことができない。
【００１９】
したがって、図７の矢印Ｂは、スプーン７が受け金具６に係合するようにハンドル８を施錠位置へと回した場合に摘み操作片１２が付勢手段１１のバネ力により自動的にハンドル８をロックする方向へ移動したことを、一方、矢印Ａはスプーン７を受け金具６から離脱するためには、ハンドル８を開錠方向Ａへと回さなければならないことを意味する。
【００２０】
さて、図５を基準にしてケース本体（台座）５の各部位や取付け部を説明する。５ａはケース本体５の上端部（一端部）で、この上端部側には、第１取付け孔が上下（垂直）方向に形成され、或いは第１取付け孔を有するブロック状第１取付け部１５がケース本体５の左右の側壁の内壁面に所要間隔離間してケース本体５内に固定的に設けられている。
【００２１】
一方、５ｂはケース本体５の下端部（他端部）で、この下端部側には後述するダイヤル部材２２用の収納凹所１６が形成されている。１７は中央部（中央部寄りの部位も含む）に形成された垂直方向の第２取付け孔、或いは第２取付け孔を有するブロック状第２取付け部で、該第２取付け部１７も第１取付け部１５と同様にケース本体５の左右の側壁の内壁面に所要間隔離間してケース本体５内に固定的に設けられている。
【００２２】
本実施例では、上下の取付け部１５，１７は、回転ロック機構１０を構成する各付勢手段をそれぞれケース本体５内に適宜に組み込むために、付勢手段用の収納空間をそれぞれ適宜に設け、或いは形成している。第１取付け部１５及び第２取付け部１７に関しては、全体をトラック形状にする、區形状に形成する、肉厚状に形成する、側壁にバネ収納用の切欠部を形成する、断面ハット形のバネ収納部分を連設形成する、突起部を連設するなど設計上の必要性に対応して適宜付加的構成が加味される。
【００２３】
また、５ｃは一方の側壁（図５では左側壁）で、この左側壁５ｃの下端部にはダイヤル部材２２の標識本体の外周部が食み出る透孔が形成されている。一方、５ｄは他方の側壁（図５では右側壁）で、この右側壁５ｄの上端部寄りの部位は外方向にやや弧状に突出し、かつ、該弧状部にはスプーン７の周壁部分４２が出没可能な開口が形成されている。
【００２４】
前述したように、本実施例では、美観上（見苦しくない）、技術上（防犯対策）の観点から、スプーン７も含めた回動阻止機構（新規事項）をケース本体５内に組み込んでいる。したがって、前記左右の側壁５ｃ，５ｄ及び上下の取付け部１５，１７を基準にし、ケース本体５内には、スプーン７及び係合片用の受け止め片１９を組み込むための空間部分１８を設定している。
【００２５】
その他、ケース本体１には、ハンドル用軸孔、位置決め対偶片用の被係合部等が形成されていると共に、外壁に相当する上下のキャップ状部分は、係合離脱可能に嵌め込まれている。
【００２６】
（３）ハンドル
図４で示すように、ハンドル８は、ケース本体１の中央部（中央部寄りの部位も含む）に軸部が回動自在に嵌め込まれている。このハンドル８は、レバー状操作摘み部８ａと、この操作摘み部８ａの先端部に連設し、かつ、ケース本体１の軸孔に嵌入する嵌合突起軸８ｂと、この嵌合突起軸８ｂに内端部が相当嵌入され、かつ、突出する端部に半円弧状のスプーン７を備えた連結軸８ｃとから構成されている。
【００２７】
（４）スプーン７
図４を基準にすると、７は内側サッシ４の側壁４ａに離間対向するようにケース本体５の空間部分１８内に回転可能に設けられたスプーンである。このスプーン７は、図４で示すように、使用時、垂直状となるベース板部分４１と、このベース板部分４１の弧状縁部に突壁状に周設された係合機能を有する周壁部分４２とから成り、前記ベース板部分４１には、ハンドル８の連結軸８ｃが貫通する角軸孔４３と係合透孔４４がそれぞれ形成されている。
【００２８】
係合透孔４４は、回動阻止機構の係合片が係合するので、本実施例では角軸孔４３と周壁部分４２との間の適宜箇所に形成されている。また、ベース板部分４１の直線状の端面４１ａには、摘み操作片１２のストッパ部１２ａが係合可能である（図６，図７参照）。なお、前記周壁部分４２は、本実施例では、半弧状に形成しているが、受け金具６の鉤状受け部分６ａに係脱可能な限り、やや鉤状に形成しても良い。
【００２９】
（５）本発明の主要部
本発明の主要部は、スプーン７のベース板部分とハンドルの基端部側に備えたハンドル回動阻止機構Ｙであり、該ハンドル回動阻止機構Ｙは、所定の条件を満たさない場合には、ハンドル８の回転途中に当該ハンドル８を固定側部材との係合関係により、所定位置で止めるストッパ部材５０を備えている。
【００３０】
ストッパ部材５０は、前述したように、ケース本体５の空間部分１８内に設けられ、かつ、可動側のスプーン７の内壁面４１ｂに添設された弧状の位置決め対偶片５１と、この位置決め対偶片５１の中央部に支軸５２を介して軸支されていると共に、該軸支５２に設けられた付勢バネ５３のバネ力により、スプーン７のベース板部分４１に形成した係合透孔４４から常時突出する垂直板状の係合片５４とから成る。
【００３１】
図８で示すように、位置決め対偶片５１は、肉厚かつ半弧状のブロック片であり、本実施例では、スプーン７の周壁部分４２が半弧状に形状されていることから、スプーン７の周壁部分４２の内周面に対向する位置決め対偶片の外周面５１ａも、前記周壁部分４２の形状に対応して弧状に形成している。
【００３２】
本実施例の位置決め対偶片５１は、所定の条件を満たさない時、すなわち、障子１，３の不完全閉鎖時には、固定側の受け金具６の受け部分６ａに当たらない反面、所定の条件を充足した場合、すなわち、障子１，３の完全閉鎖時には、受け金具の前記受け部分６ａに当たり、所定の場所（ハンドルが回転中の中途位置）で位置決めされた状態で停止する位置決め部材（正確には位置決めされる部材）であると共に、受け金具６に当たる当接部材（正確には衝突部材）でもある。
【００３３】
したがつて、位置決め対偶片５１は、少なくとも、「位置止め停止」と「衝突」という二面性の機能を有している。さらに、図９，図１０，図１１で示すように、本実施例の位置決め対偶片５１は、係合片５４を支持する機能を有している。
【００３４】
係合片５４は、支軸５２を介して位置決め対偶片５１の中央部に支持され、かつ、スプーン７の係合透孔４４を介してスプーンのベース板部分４１の外壁面４１ｃから付勢バネ５３のバネ力により常時突出している。そして、係合片５４は、障子１，３の不完全閉鎖時には、ケース本体内に設けた受け止め片１９に当接可能である（これを、「ハンドルストッパ機能」という。）。
【００３５】
ところで、弧状の位置決め対偶片５１の中央部の内周面５１ｂに係合片５４を装着するために、望ましくは所要の切欠凹所５５を一端面に向かって形成している。そして、前記切欠凹所５５には、係合片５４に形成した支軸用小軸孔５６と一致する取付け孔５７が形成されている。付勢バネ５３の一端部は、係合片５４の適宜部位に圧接し、一方、その他端部は位置決め対偶片５１或いはスプーン７の内壁面４１ｂの適宜箇所に圧接する。
【００３６】
なお、本発明の付加的事項であるが、弧状の位置決め対偶片５１は、一端部から他端部にかけて次第に肉厚状に形成されている。また、例えば内外の壁面５１ａ，５１ｂと直交する一側面の適宜箇所には、ケース本体の図示しない被係合部（例えば溝）と係合する係合部（例えば突起）５８が形成されている。
【００３７】
（６）主要部の作用
まず、所定の条件を充足しない時（障子１，３の不完全閉鎖時、受け金具が存在しない時）について、図９，図１０，図１１を参照にして説明する。位置決め対偶片５１のハンドルストッパ機能は、ケース本体５の空隙部分１８に固定手段２０を介して固定された、或いはケース本体５に形成された受け止め片（受け止め部分）１９に係合片５４の突出部分５４ａが係止されることにより実現される。
【００３８】
図９で示すように、係合片５４の突出部分５４ａは、付勢バネ５３のバネ力により、ベース板部分４１の係合透孔４４から常時突出している。また、図１０及び図１１で示すように、図面上、位置決め対偶片５１はスプーン７のベース板部分４１の内壁面４１ｂに乗っかっている格好であるが、前記係合透孔４４に係合する係合片５４を介して一緒に回転可能である（正確には、スプーン７によって位置決め場所まで運ばれる）。
【００３９】
したがって、位置決め対偶片５１は、所定の条件を充足しない時には係合片５４を介してスプーン７と一体的に係合しているから、ハンドル操作によりスプーン７を回転すると、回転途中で係合片５４の突出部分５４ａが固定側のケース本体５の受け止め片（受け止め部分）１９に当たり、それ以上施錠方向へ回転できない。
【００４０】
次に、所定の条件を充足した時（障子１，３の完全閉鎖時、受け金具が存在する時）について、図１２乃至図１４を参照にして説明する。ハンドル操作によりスプーン７を回転すると、ストッパ部材５０の位置決め対偶片５１は、スプーン７と一緒に施錠方向へ回転するが、回転途中、図１４で示すように、その外端部が受け金具６の受け部分６ａに衝突する。したがって、位置決め対偶片５１は、受け金具６により、その場で位置決めされた状態で停止する。位置決め対偶片５１は位置決めされるとそれ以上回転不可である。
【００４１】
前述したように、位置決め対偶片５１は、「位置止め停止機能」の他に「衝突機能」も有している。この衝突機能に関して、本実施例では、受け金具からの衝撃力は、位置決め対偶片５１が直接受け、折り曲げ部分を有しない板状係合片５４は衝撃力を受けない（衝撃力は間接的なもの）。それ故に、位置決め対偶片５１が強い衝撃力を受けても、係合片５４は、変形する確率が極めて少ない。
【００４２】
そして、位置決め対偶片５１の位置止めないし衝突場所を基準としてハンドルをさらに施錠方向へと回すと、図１４で示すように、スプーン７は停止状態の位置決め対偶片５１をそのまま置き去りにして施錠方向へ回転し続ける。その時、係合片５４は、付勢バネ５３のバネ力に抗してスプーン７の係合透孔４４の縁部を介してスプーン７の内壁面４１ｂ側に引っ込む（傾倒する）。したがって、ハンドルを所定位置まで回し、スプーン７の周壁部分４２を受け金具６の受け部分６ａに完全に係合させることができる。
【００４３】
（７）回転ロック機構１０
従属項の回転ロック機構１０について、図７及び図１５を参照にして説明する。回転ロック機構１０は、ケース本体５に上下動可能に設けられ、かつ、ケース本体内装の付勢手段１１のバネ力により一端部側に設けられたストッパ部１２ａが前記スプーン７の半円弧状周壁４２に常時圧接すると共に、他端部側に係合部１２ｂを有する摘み操作片１２と、ハンドル８の施錠時（スプーンが受け金具に略完全に係合した時）に於いて、前記スプーン７の弧状周壁の規制から解放されたストッパ部１２ａが摘み操作片１２のロック方向への移動に伴いスプーン７の垂直方向の端面４１ａとの対向関係を介してハンドル８を自動的にロック状態にした場合に、摘み操作片１２の前記係合部１２ｂに係合するロッキング片１４を有する摘み操作片用ロック手段１３と、このロック手段１３の前記ロッキング片１４の係止部１４ａと摘み操作片１２の係合部１２ｂとの係合関係を解消させることができるようにケース本体５の他端部に回動自在に設けられたロッキング片１４用のロック解消手段（望ましくはダイヤル部材）２２とから成る。
【００４４】
（８）回転ロック機構のダイヤル部材
図１６はダイヤル部材２２の一例を示す。ダイヤル部材２２は、例えばケース本体１の下端部の収納凹所１６に回動可能に組み込まれている。ダイヤル部材２２は、標識２３を有する操作部本体２４を有し、前記標識２３は前述した一方の側壁５ｃの弧状突起部から常に見えるようになっている。ダイヤル部材２２は、図４で示すようにハンドル８の嵌合突起軸８ｂに対して相当離間して、かつ、一方の側壁５ｃ側にオフセットした状態でケース本体５内に装着されている。
【００４５】
しかして、ダイヤル部材２２は、環状外壁面に「１」〜「０」等のダイヤル標識２３を有する操作部本体２４と、この操作部本体２４の一側面に形成された嵌合凹所に一体的に嵌着する係合円盤２５と、この係合円盤２５と対向するドーナツ状の回転子２６とから成り、前記係合円盤２５の突壁状の環状部の内周面には、軸孔に臨む駆動爪２７が突設され、一方、前記回転子２６の対向面には、前記駆動爪２７と係合可能な従動爪２８が突設されている。
【００４６】
そして、本体の一部を構成する駆動側の係合円盤２５と従動側の回転子２６の周側部には、操作片用ロック手段１３を構成するロック制御片３１の突起状係合部３２が係脱可能な逃し用凹所２９，３０がそれぞれ形成されている。
【００４７】
（９）付勢手段１１と摘み操作片１２
図６，図７で示すように、付勢手段１１は、ケース本体５の側壁５ｃの上部内壁面と第１取付け部１５との間に形成された段差状のバネ収納部に組み込まれており、摘み操作片１２のストッパ部１２ａの上端面にその下端部が圧接している。したがって、前記ストッパ部１２ａの下部側の傾斜或いはやや弧状に形成されたスライド面１２ｃは、スプーン７の周壁４２に常時圧接している。それ故に、摘み操作片１２は、ケース本体５に内装された付勢手段１１によって常時ハンドル８をロックすることが可能な下方方向（スプーン７の端面に係合する方向）に付勢されている。
【００４８】
摘み操作片１２は、ケース本体５の側壁５ｃに形成された案内開口を介してケース本体５に上下動自在に装着されている。前述したように、摘み操作片１２は、一端部側にスライド面１２ｃを有するストッパ部１２ａ設けられ、一方、他端部側にロック手段１３のロッキング片１４の係止部１４ａが係脱可能な鉤状の係合部１２ｂを有している。上下のストッパ部１２ａと係合部１２ｂは縦方向に長板状に連設しており、これら１２ａ，１２ｂに外方向へと連設する耳状の摘み部分１２ｄは案内開口を介して側壁５ｃの外壁面に突出している。
【００４９】
（１０）摘み操作片用ロック手段１３
摘み操作片用ロック手段１３は、摘み操作片１２とダイヤル部材２２の各作動に関連付けられて摘み操作片１２とダイヤル部材２２との間に配設されている。ロック手段１３は、図１７で示すように、摘み操作片１２の係合部１２ｂに係合する指状のロッキング片１４と、このロッキング片１４を制御するロック制御片３１と、これらをそれぞれ付勢する第１及び第２のバネ３３，３４とを含んでいる。
【００５０】
人差し指状のロッキング片１４は摘み操作片１２の係合部１２ｂに係脱するように、一方、親指状のロック制御片３１はダイヤル部材２２の各逃がし用凹所２９，３０に係脱するようにダイヤル部材２２の付近に横設軸架された共通軸３５に軸支されている。また、両者１４，３１は、特に図示しないが互いの係合部の係合関係により連動可能に組み合わせられている。
【００５１】
ロッキング片１４用の第１バネ３３は、その一端部はロッキング片１４に支持されていると共にその他端部はロック制御片３１に適宜に支持されている。この第１バネ３３のバネ力は微妙に設定されており、所定の位置まで外拡すると、それ以上外方向へはバネ力は作用しない反面、内側に変位すると外方向に反作用する。
【００５２】
一方、ロック制御片３１用の第２バネ３４は、第２取付け部１７に連設形成したバネ収納部３６内に組み込まれ、ロック制御片３１の突起状係合部３２がダイヤル部材２２の各逃がし用凹所２９，３０に係合するように常時付勢する。
【００５３】
本実施例のロック手段１３は、主な部材が「二物品１４，３１」で構成されているが、その理由は、例えばダイヤル部材２２の暗証番号が一致し、図１１で示すようにダイヤル部材２２の各逃がし用凹所２９，３０にロック制御片３１の突起状係合部３２が係合しても、該ロック制御片３１はロッキング片１４との関係なく係合方向に回転できるようにするためである。
【００５４】
したがって、ロック制御片３１は、第２バネ３４のバネ力により、又はバネ力に抗して独立・別個にダイヤル部材２２に対して係脱する。付言すると、ロッキング片１４がロック制御片３１から影響（制御）を受けるのは、ダイヤル部材２２を任意に回してダイヤル施錠（暗証番号が不一致）になった場合である。
【００５５】
（１１）ハンドルの施錠と開錠
前述したように、図５は所定の条件を充足（受け金具が存在）し、ハンドル８のスプーン７を受け金具６に完全に係合する所まで回したハンドル施錠位置を示している。この時、当該ハンドル８が摘み操作片１２を介して自動的に施錠された状態となる。
【００５６】
ハンドル開錠時には、摘み操作片１２は上方に手動で移動する必要があるが、例えば開錠時に摘み操作片１２の摘み部分１２ｄから指を離すと、ケース本体５内に組み込まれた付勢手段１１のバネ力により、摘み部分１２ｄに連設するケース本体５内のストッパ部１２ａがスプーン７の弧状周壁４２に常時圧接する。
【００５７】
ハンドルを開錠方向へ回す途中、スプーン７の係合透孔４４が傾倒状態のストッパ５４に対向すると、ストッパ５４は付勢バネ５３のバネ力により、元の状態に復帰する。したがって、位置決め対偶片５１は、ストッパ５４を介してスプーン７に一体的に係合し、開錠位置まで一緒に戻ってくる。
【実施例】
【００５８】
本実施例の位置決め対偶片５１は、部材同士の組み合わせの容易性、位置決めの容易性、耐久性などの理由から半円弧状に形成されているが、スプーン７の周壁部分４２の中央部が角度方向に曲がっていれば、その曲率に対応して折り曲げ形成することも可能である。位置決め対偶片５１は、スリップ可能な肉厚状のブロック体であれば十分である。
したがって、本実施例のように必ずしも半円弧状に形成する必要はない。位置決め対偶片５１のブロック形状は、発明の目的を達成することができる範囲で任意に設計変更可能である。
【００５９】
なお、本実施例では、細部的事項（例えばスプーン７と第２取付け部１７にそれぞれ端部を取り付けたクリックバネ、スプーン用案内板等）については省略した。
【図面の簡単な説明】
【００６０】
図１乃至図１７は本発明の一実施例を示す各説明図。
【図１】実施の環境を示す説明図。
【図２】室内側から外方向に見た場合の説明図。
【図３】図２を基準にした場合の左側面からの説明図。
【図４】主要箇所を縦断面で示したケース本体等の概略断面説明図。
【図５】ケース本体の裏側から見た施錠時（一部を切欠）の説明図。
【図６】図５と同様（切欠せず）の説明図。
【図７】回転ロック機構を構成する部材（付勢手段、摘み操作片、スプーン）の説明図。
【図８】本発明の主要部の分解斜視図。
【図９】主要部の概略説明図。
【図１０】所定の条件を満たさない場合の概略断面説明図（ハンドル回動阻止機構がその機能を発揮する場合。付言すると、スッパ部材５０の係合片５４がスプーン７の係合透孔４４から突出し、ケース本体側の受け止め片１９に係止される）。
【図１１】所定の条件を満たさない場合の斜視からの概略説明図（図１０と同様である）。
【図１２】所定の条件を満した場合のケース本体の裏側から見た説明図。
【図１３】所定の条件を満した場合の図１０と同様の概略説明図。
【図１４】所定の条件を満した場合の図１１と同様の概略説明図（係合片５４がスプーン７に掬われる）。
【図１５】回転ロック機構の作用の説明図（ハンドルを施錠方向へ回転中）。
【図１６】ダイヤル部材の一例を示す分解斜視図。
【図１７】摘み操作片用ロック手段の説明図。
【符号の説明】
【００６１】
Ｘ…窓用クレセント錠、Ｙ…ハンドル回転阻止機構、１…外障子、２…外側サッシ、３…内障子、４…内側サッシ、５…ケース本体、６…受け金具、６ａ…受け部分、７…スプーン、８…ハンドル、１０…回転ロック機構、１１…付勢手段、１２…摘み操作片、１２ａ…ストッパ部、１２ｂ…係合部、１２ｂ…スライド面、１２ｄ…耳状の摘み部分、１３…摘み操作片用ロック手段、１４…ロッキング片、１４ａ…係止部、１５…第１取付け部、１６…収納凹所、１７…第２取付け部、１８…空間部分、１９…受け止め片、２０…固定手段、２２…ダイヤル部材、３１…ロック制御片、３２…係合部、３３…第１バネ、３４…第２バネ、３５…共通軸、４１…スプーンのベース板部分、４１ａ…スプーンの端面、４１ｂ…スプーンの内壁面、４２…スプーンの周壁部分、４３…軸孔、４４…係合透孔、５０…ストッパ部材、５１…位置決め対偶片、５１ａ…外周面、５１ｂ…内周面、５２…支軸、５３…付勢バネ、５４…係合片、５４ａ…突出部分、５５…切欠凹所、５６…小軸孔、５７…取付け孔、５８…係合部。
【図１】
2006316498.tif 000003
【図２】
2006316498.tif 000004
【図３】
2006316498.tif 000005
【図４】
2006316498.tif 000006
【図５】
2006316498.tif 000007
【図６】
2006316498.tif 000008
【図７】
2006316498.tif 000009
【図８】
2006316498.tif 000010
【図９】
2006316498.tif 000011
【図１０】
2006316498.tif 000012
【図１１】
2006316498.tif 000013
【図１２】
2006316498.tif 000014
【図１３】
2006316498.tif 000015
【図１４】
2006316498.tif 000016
【図１５】
2006316498.tif 000017
【図１６】
2006316498.tif 000018
【図１７】
2006316498.tif 000019